(57)【要約】      （修正有）【課題】木造建築物の幅広窓用の開口部や、ビルトインガレージ用の開口部等、広い開口部の側縁部に沿わせて設置できるとともに、耐力を有する狭小壁を提供する。【解決手段】並設された一対の支柱と、両支柱を連結する面板を一体化した狭小壁５であり、支柱６は、基礎と梁の間に柱脚金物８と柱頭金物９を介して固定支持され、それぞれ幅寸法Ｔ１、Ｔ２とされた一対の支柱を相互の柱芯間隔ＰをＴ１＋Ｔ２＜Ｐ＜２（Ｔ１＋Ｔ２）の狭小間隔として並設され、面板７は、一対の支柱の表面に凹設された凹部に嵌入されると共に、上縁部と下縁部をそれぞれ凹部の上側凹壁と下側凹壁に沿わせた状態で、面板の両側部を上下方向に所定間隔をあけて複数のビスにより凹部の底壁に固着され、面板の上縁部と梁の間に上部空間Ｓ１を形成し、下縁部と土台の間に下部空間Ｓ２が形成される。【選択図】図２
0003215616.tif 000002
【実用新案登録請求の範囲】
【請求項１】
木造建築物の開口部の側縁部に沿わせて設置され、並設された一対の角材から成る支柱と、一対の支柱を連結する板材から成る面板を一体化した狭小壁であり、
前記支柱(6,6)は、基礎に固着された柱脚金物(8)により柱脚部(6a)が固定支持されると共に、梁に固着された柱頭金物(9)により柱頭部(6b)が固定支持されており、それぞれ幅寸法Ｔ１、Ｔ２とされた一対の支柱(6)(6)が相互の柱芯間隔ＰをＴ１＋Ｔ２＜Ｐ＜２（Ｔ１＋Ｔ２）の狭小間隔として並設され、
前記面板(7)は、一対の支柱の表面に凹設された凹部(28)に嵌入され、該面板の上縁部と下縁部をそれぞれ凹部の上側凹壁(28b)と下側凹壁(28a)に沿わせた状態で、該面板の両側部を上下方向に所定間隔をあけて複数のビス(30)により凹部の底壁(28c)に固着されており、
前記面板(7) の上縁部と梁(4)の間に上部空間(S1)を形成すると共に、下縁部と土台(3)の間に下部空間(S2)を形成して成ることを特徴とする木造建築物の狭小壁。
【請求項２】
前記面板(7)の両側部には、前記ビス(30)を挿通する多数のビス孔(29)が所定の配列位置に形成されて成ることを特徴とする請求項１に記載の木造建築物の狭小壁。
【請求項３】
前記ビス孔(29)に挿通されるビスの頭部(30a)を埋没させる凹陥部(29a)が面板(7)の表面にエンボス加工により形成されて成ることを特徴とする請求項２に記載の木造建築物の狭小壁。
【請求項４】
前記面板(7)の高さＨと板厚ｔに対して、前記凹部の上側凹壁(28b)と下側凹壁(28a)の間隔距離Ｌは、Ｈ＜Ｌ＜Ｈ＋ｔに形成されて成ることを特徴とする請求項１、２又は３に記載の木造建築物の狭小壁。
【請求項５】
前記面板(7)は、前記支柱の上下中央位置から下側に配置される下側面板(7a)と、上側に配置される上側面板(7b)により構成され、下側面板(7a)の下縁部と上側面板(7b)の上縁部を相互に連接した状態で前記凹部(28)に嵌入され、
上側面板(7b)の上縁部と下側面板(7a)の下縁部をそれぞれ凹部の上側凹壁(28b)と下側凹壁(28a)に沿わせた状態で、該面板(7a,7b)の両側部をビス(30)により凹部の底壁(28c)に固着され、
上側面板(7b)の上縁部と梁(4)の間に上部空間(S1)を形成すると共に、下側面板(7a)の下縁部と土台(3)の間に下部空間(S2)を形成して成ることを特徴とする請求項１、２、３又は４に記載の木造建築物の狭小壁。
【考案の詳細な説明】
【技術分野】
【０００１】
本考案は、木造建築物の狭小壁、特に、幅広窓用の開口部や、ビルトインガレージ用の開口部等、広い開口部における側縁部に沿わせて設置する狭小壁に関する。
【背景技術】
【０００２】
木造建築物の開口部は、上下の梁と土台並びに左右の柱により枠組みされているのが一般的であるが、幅広窓用の開口部や、ビルトインガレージの開口部等のように、広い開口部を形成する場合は、強度に関して耐震性等の問題がある。
【０００３】
この点に関して、建築構造物において、補強を必要とする個所に耐力壁を設置することが知られているが、上述のような広い開口部の側縁部に沿わせて設置するために適した耐力壁が提案されていない。
【０００４】
従来の耐力壁は、並設した支柱の表面に面板を重ねて釘打ちした構成とされ、その際、面板の上縁部を梁の表面に重ねて釘打ちすると共に、面板の下縁部を土台の表面に重ねて釘打ちすることにより、面板の４辺を固定し、面板により梁と土台並びに支柱を一体化した耐力構造を提供している。
【０００５】
しかしながら、釘打ち作業は、現場作業者に任されているため、使用されるビスの本数や打ち込み位置が必ずしも設計された通りに行われる確証はなく、所定の耐力が確保されていないおそれがある。
【０００６】
しかも、面板の４辺を釘打ちにより固定した従来の耐力壁の場合、地震の際に横揺れを受け、土台と梁の間に並設された支柱が平行に傾くと、面板の上下縁部の釘打ち部分が容易に破断するので、耐力を失い、脆性的な破壊を招来するおそれがある。
【０００７】
このため、十分な耐力を確保するためには、耐力壁を可及的に幅広とするように形成する必要があるが、幅広の耐力壁は、建築物の開口部の側縁部に沿わせて設置する目的に適しない。
【先行技術文献】
【特許文献】
【０００８】
【特許文献１】特開２００３−２５３７８９号公報
【特許文献２】特許第４４０２１２９号公報
【考案の概要】
【考案が解決しようとする課題】
【０００９】
本考案は、建築物の開口部の側縁部に沿わせて設置する目的に適した狭小壁を提供することを課題としている。
【００１０】
狭小壁は、建築物の開口部を枠組みする従来の柱に代えて設置できるように構成するためには、幅寸法を例えば４５５ｍｍのように小幅に形成することが好ましい。このような構成により、狭小壁は、中柱に代えて設置可能なだけでなく、隅柱に代えて設置可能とすることが望ましい。
【００１１】
狭小壁は、並設された一対の支柱に面板を一体化することにより構成する際、面板を土台や梁の表面に重ねて釘打ちすることは好ましくなく、面板の上下縁部を梁及び土台から離間させることにより上下空間部を形成させ、面板の上下縁部は、支柱に凹設した凹部の上下凹壁により支持させることが好ましい。これにより、地震等の際における横揺れにより一対の支柱が平行に傾くときでも、面板の上下縁部が簡単に破断されることはなく、耐力を持続する。つまり、狭小壁は、頑強な剛体構造とするよりも、むしろ、脆性的に破壊し難い靱性のある面材張り耐力壁を構成することが望ましい。
【００１２】
そして、支柱の凹部に面板を嵌入させることにより、狭小壁の表面において支柱と面板をほぼ面一とすることが好ましく、これにより、狭小壁を設置した後における建築物の開口部の外装等の施工を容易とすることが望ましい。
【課題を解決するための手段】
【００１３】
本考案は、上記課題を解決した木造建築物の狭小壁を提供するものであり、その手段として構成したところは、木造建築物の開口部の側縁部に沿わせて設置され、並設された一対の角材から成る支柱と、一対の支柱を連結する板材から成る面板を一体化した狭小壁であり、前記支柱は、基礎に固着された柱脚金物により柱脚部が固定支持されると共に、梁に固着された柱頭金物により柱頭部が固定支持されており、それぞれ幅寸法Ｔ１、Ｔ２とされた一対の支柱が相互の柱芯間隔ＰをＴ１＋Ｔ２＜Ｐ＜２（Ｔ１＋Ｔ２）の狭小間隔として並設され、前記面板は、一対の支柱の表面に凹設された凹部に嵌入され、該面板の上縁部と下縁部をそれぞれ凹部の上側凹壁と下側凹壁に沿わせた状態で、該面板の両側部を上下方向に所定間隔をあけて複数のビスにより凹部の底壁に固着されており、前記面板の上縁部と梁の間に上部空間を形成すると共に、下縁部と土台の間に下部空間を形成して成る点にある。
【００１４】
本考案の実施形態において、前記面板の両側部には、予め前記ビスを挿通する多数のビス孔が所定の配列位置に形成されている。
【００１５】
前記ビス孔に挿通されるビスの頭部を埋没させる凹陥部は、面板の表面にエンボス加工により形成することが好ましい。
【００１６】
前記面板の高さＨと板厚ｔに対して、前記凹部の上側凹壁と下側凹壁の間隔距離Ｌは、Ｈ＜Ｌ＜Ｈ＋ｔに形成することが好ましい。
【００１７】
前記面板は、１枚の板材により形成しても良いが、支柱の上下中央位置から下側に配置される下側面板と、上側に配置される上側面板により構成することができ、その場合、下側面板の下縁部と上側面板の上縁部を相互に連接した状態で前記凹部に嵌入され、上側面板の上縁部と下側面板の下縁部をそれぞれ凹部の上側凹壁と下側凹壁に沿わせた状態で、該面板の両側部をビスにより凹部の底壁に固着され、上側面板の上縁部と梁の間に上部空間を形成すると共に、下側面板の下縁部と土台の間に下部空間を形成するように構成される。
【考案の効果】
【００１８】
本考案の狭小壁５は、幅寸法を小幅に形成されているので、木造建築物の広い開口部の側縁部に沿わせて設置するための耐力壁として適しており、中柱に代えて設置することが可能なだけでなく、隅柱に代えて設置することも可能である。
【００１９】
地震等の発生により建築物の基礎及び土台と梁が相互に横揺れするとき、従来の耐力壁は、支柱と一体化した面板は、下縁部が土台に釘打ちされると共に上縁部が梁に釘打ちされているので、面板が対抗することにより支柱の傾きを抑制しようとするが、限界を超えて柱が傾くと、大きく移動する面板の上下縁部が瞬時に破断されて梁及び土台から分離し、耐力壁の耐力を急激に失い、脆性的に破壊される問題がある。これに対して、本考案の狭小壁５は、面板７の下縁部と上縁部を土台３及び梁４から離間させ、敢えて、下部空間Ｓ１と上部空間部Ｓ２を形成することにより、面板７が柱脚部６ａと柱頭部６ｂの傾き移動に追従しないように構成しており、面板７と支柱６、６の結合は、支柱６に設けた凹部２８に面板７を嵌入し、傾き移動の少ない支柱６の中間部における下側凹壁２８ａと上側凹壁２８ｂにより面板７の下縁部と上縁部を挟んで結合を維持させる構成としているので、脆性的に破壊し難い靱性のある面材張り耐力壁の提供が可能になるという効果がある。
【００２０】
しかも、面板７を凹部２８に嵌入することにより、支柱６と面板７の表面を面一に形成することができるので、狭小壁５を設置した後における建築物の開口部の外装等の施工を簡単容易とする。
【００２１】
そして、面板７の両側部には、多数のビス孔２９が耐力試験により得られた最適データに基づいて設計された所定配列で設けられているので、現場で作業者が面板７の釘打ち作業を行う際、作業者は、ビス孔２９にビスを挿入して支柱６に打ち込めば良く、誤作業のおそれがない。
【００２２】
更に、ビス孔２９に挿通されるビス３０の頭部３０ａを埋没させる凹陥部２９ａが面板７の表面にエンボス加工により形成されており、凹陥部２９ａのエンボス形成によりビス孔２９の周囲で圧縮された木質による補強部２９ｂが形成されているので、横揺れ時におけるビス孔２９の破断防止効果にも優れている。
【図面の簡単な説明】
【００２３】
【図１】本考案の狭小壁を木造建築物の開口部の両側縁部に沿わせて設置した状態を示す正面図である。
【図２】本考案の１実施形態に係る狭小壁を示し、（Ａ）は斜視図、（Ｂ）はＡ−Ａ断面図である。
【図３】狭小壁を構成する支柱における柱脚部の固定支持構造と、支柱に一体化された下側面板を示す斜視図である。
【図４】柱脚金具を示す斜視である。
【図５】柱脚金具を基礎のアンカーボルトに取付固着する方法を示しており、（Ａ）はアジャスト盤を介して柱脚金具をアンカーボルトに設置した状態の斜視図、（Ｂ）（Ｃ）はアジャスト盤の作用を示す平面図である。
【図６】柱脚金具と支柱の柱脚部との関係を示す斜視図である。
【図７】柱脚金具により固定支持された支柱の状態を示す斜視図である。
【図８】狭小壁を構成する支柱における柱頭部の固定支持構造と、支柱に一体化された上側面板を示す斜視図である。
【図９】柱頭金具と支柱の柱頭部との関係を示す斜視図である。
【図１０】柱頭金具により固定支持された支柱の状態を示す斜視図である。
【図１１】支柱と面板を分解状態で示す斜視図である。
【図１２】支柱に下側面板と上側面板を固着する方法を示す斜視図である。
【図１３】面板に設けられたビス孔に関して、（Ａ）はビス孔の構成を示す拡大断面図、（Ｂ）はビスを挿通することにより面板を支柱に固着した状態を示す拡大断面図である。
【図１４】狭小壁の作用を示し、（Ａ）は通常の状態を示す正面図、（Ｂ）は横揺れを受けたときの状態を示す正面図である。
【考案を実施するための形態】
【００２４】
以下図面に基づいて本考案の好ましい実施形態を詳述する。
【００２５】
（全体的構成）
図１は、木造建築物１において、基礎２の上に設置される土台３と、上方の梁４との間に、幅広窓用の開口部や、ビルトインガレージ用の開口部等、広い開口部Ｓを形成し、開口部Ｓの両側縁部に沿わせて、本考案の実施形態に係る狭小壁５、５を設置した状態を示している。図例の場合、一対の狭小壁５、５は、中柱に相当するものとして設置されているが、左右何れか一方の狭小壁５は、隅柱に相当するものとして設置することが可能である。
【００２６】
狭小壁５は、並設された一対の木製角材から成る支柱６、６と、一対の支柱を連結する木製板材から成る面板７を一体化することにより耐力壁を構成している。
【００２７】
図１及び図２に示すように、支柱６は、柱脚部６ａを基礎２に固着された柱脚金物８により固定支持されると共に、柱頭部６ｂを梁４に固着された柱頭金物９により固定支持されている。図２（Ｂ）に示すように、一対の支柱６、６は、それぞれ幅寸法Ｔ１、Ｔ２を有する角材から成り、この際、例えば、狭小壁５が中柱に相当して設置されるときは、同寸法の角材、つまり、Ｔ１＝Ｔ２の支柱６、６を使用することができるが、隅柱に相当して設置されるときは、異なる寸法の角材、つまり、Ｔ１＜Ｔ２又はＴ１＞Ｔ２の支柱６、６を使用する場合もある。そこで、一対の支柱６、６は、相互の柱芯間隔ＰをＴ１＋Ｔ２＜Ｐ＜２（Ｔ１＋Ｔ２）の狭小間隔として並設され、一対の支柱６、６の外側縁部に両側縁が沿わせられる幅寸法Ｗ（Ｗ＝Ｐ＋１／２（Ｔ１＋Ｔ２））とされた板材から成る面板７により一体化されている。
【００２８】
前記面板７は、１枚の板材により形成しても良いが、図示実施形態の場合、支柱６、６の上下中央位置から下側に配置される下側面板７ａと、上側に配置される上側面板７ｂにより構成されており、上側面板７ａと下側面板７ｂは、同形同大の矩形板から成り、後述するように両側縁部を上下方向に所定間隔をあけてビスにより支柱６、６の前面に固着されている。この際、上側面板７ｂの上縁部は、梁４から離間させられ、該梁４の下側に位置して柱頭部６ｂ、６ｂの間に上部空間Ｓ１を形成しており、同様に、下側面板６ｂの下縁部は、土台３から離間され、該土台３の上側に位置して柱脚部６ａ、６ａの間に下部空間Ｓ２を形成している。
【００２９】
（柱脚部の構成）
狭小壁５を構成する支柱６、６の柱脚部６ａは、図３に示すように、基礎２に埋設されたアンカーボルト１０に柱脚金物８を固着し、該柱脚金物８の上に前記柱脚部６ａを搭載した状態で固定支持される。
【００３０】
図４に示すように、柱脚金物８は、基礎２の上に設置される箱形ベース１１の上に起立壁１２を立設しており、箱形ベース１１の底部を形成する設置壁１１ａにアンカーボルト１０を遊挿する大径の遊挿孔１３を開設し、箱形ベース１１の上部を形成する支持壁１１ｂにより柱脚部６ａの下端面を支持するように構成されている。
【００３１】
箱形ベース１１の設置壁１１ａは、基礎２から突出するアンカーボルト１０に対して、調整円盤１４と、固定座金１５と、ナット１６を使用することにより固着される。
【００３２】
前記調整円盤１４は、周縁から中心に向けて径方向に延びるガイドスリット１４ａを設けており、図５に示すように、設置壁１１ａの上に載置した状態で、箱形ベース１１の内部において回動自在に拘束される。従って、アンカーボルト１０を遊挿孔１３に挿通した状態で設置壁１１ａを基礎２に設置し、設置壁１１ａの上に調整円盤１４を載置すると共にガイドスリット１４ａにアンカーボルト１０を挿通させると、アンカーボルト１０に対し、遊挿孔１３の範囲で、ガイドスリット１４ａに沿って、箱形ベース１１を横方向に移動させることが可能である。図５（Ｂ）（Ｃ）は、ガイドスリット１４ａを左右方向に向け、箱形ベース１１を左右方向に移動可能とした例を示しているが、調整円盤１４を回動することにより、ガイドスリット１４ａの向きを変えることにより、箱形ベース１１を左右前後又は斜め方向に移動させることが可能である。
【００３３】
このようにして、基礎２から突出するアンカーボルト１０に対して、設置壁１１ａの設置位置を調整した後、調整円盤１４を挿通するアンカーボルト１０の挿出端に固定座金１５を介してナット１６を締結することにより、柱脚金物８は、基礎２の上で所定位置に固着される。
【００３４】
この状態で、支柱６の柱脚部６ａが起立壁１２を介して前記箱形ベース１１の支持壁１１ｂに搭載される。図６に示すように、起立壁１２は、所定数の連結孔１２ａを貫設している。これに対して、支柱６の柱脚部６ａは、前記起立壁１２を嵌入させる切込溝１７を形成すると共に、該切込溝１７を横断して前記連結孔１２ａに連通させられるピン孔１８を貫設している。
【００３５】
従って、切込溝１７に起立壁１２を嵌入することにより柱脚部６ａを箱形ベース１１の支持壁１１ｂに載置した状態で、前記ピン孔１８にドリフトピン１９を打ち込むと、該ドリフトピン１９が起立壁１２の連結孔１２ａに挿通され、これにより、柱脚部６ａは、強固に連結された状態で、柱脚金物８に固定支持される。
【００３６】
図７に示すように、柱脚金物８を基礎２の上に設置した後、基礎２の上には土台３が設置される。図例の場合、一対の柱脚金物８、８の間に分割土台３ａが設置され、柱脚金物８は両側を土台３、３ａにより挟持しているが、必ずしも分割土台３ａを必要とするものではない。
【００３７】
（柱頭部の構成）
狭小壁５を構成する支柱６、６の柱頭部６ｂは、図８に示すように、柱頭金物９を介して、梁４に固定支持される。
【００３８】
図９に示すように、柱頭金物９は、上向きに突出する複数本のパイプ部２０と、下向きに延びる板状の垂下壁２１を一体に備えており、パイプ部２０と垂下壁２１にそれぞれ所定数の連結孔２０ａ、２１ａを貫設している。
【００３９】
これに対して、梁４は、前記パイプ部２０を下方から挿入させる受孔２２を穿孔すると共に、該受孔２２を横断して前記連結孔２０ａに連通させられるピン孔２３を貫設している。また、支柱６の柱頭部６ｂは、前記垂下壁２１を嵌入させる切込溝２４を形成すると共に、該切込溝２４を横断して前記連結孔２１ａに連通させられるピン孔２５を貫設している。
【００４０】
従って、柱頭金物８は、パイプ部２０を梁４の受孔２２に挿入した状態で、ピン孔２３にドリフトピン２６を打ち込むと、該ドリフトピン２６がパイプ部２０の連結孔２０ａに挿通され、梁４に固着される。
【００４１】
そこで、梁４の下側に突出する垂下壁２１を柱頭部６ａの切込溝２４に嵌入させ、ピン孔２５にドリフトピン２７を打ち込むと、該ドリフトピン２７が垂下壁２１の連結孔２１ａに挿通され、これにより、図１０に示すように、支柱６の柱頭部６ｂが柱頭金物９により梁４に固定支持される。
【００４２】
（支柱と面板の構成）
図１１及び図１２に示すように、支柱６、６は、それぞれ、表面に上下方向長さＬを有する凹部２８が凹設されており、該長さＬを離間距離として凹部２８の下端部と上端部にそれぞれ下側凹壁２８ａと上側凹壁２８ｂを形成している。この際、凹部２８の深さｄは、面板７の厚さｔとほぼ等しくなるように形成することが好ましい。
【００４３】
図示のように、下側面板７ａと上側面板７ｂは、それぞれ上述のような幅寸法Ｗ（例えば４５５ｍｍ）を有すると共に、高さ寸法ｈ（例えば９１０ｍｍ）を有する矩形板により形成され、両側縁部に位置して多数のビス孔２９を上下方向に所定間隔をあけて所定配列状態で貫設している。この際、下側面板７ａと上側面板７ｂを含む面板７の高さＨ（つまり２ｈ）と、該面板７の厚さｔと、前記凹部２８の長さＬは、Ｈ＜Ｌ＜Ｈ＋ｔとするように形成されている。図示実施形態の場合、高さＨが１，８２０ｍｍ、厚さｔが１２ｍｍ、長さＬが１，８２５ｍｍに形成されている。
【００４４】
そこで、柱脚金物８と柱頭金物９により所定の柱芯間隔Ｐを有して並設された一対の支柱６、６に対して、最初に下側面板７ａを固着する。下側面板７ａは、下縁部を下側凹壁２８ａに載置して凹部の底面２８ｃに重ねると、一対の支柱６、６を全幅に沿って被うので、この状態で前記多数のビス孔２９を貫通してビスを支柱６の凹部２８の底面２８ｃに打ち込むことにより、凹部２８に嵌入され固着される。
【００４５】
次いで、前記下側面板７ａの上縁部に対して、傾斜姿勢とした上側面板７ｂの下縁部を預け置き、載置した状態で上側面板７ｂを傾斜姿勢から鉛直姿勢に向けて姿勢を変更させることにより、該上側面板７ｂの上縁部を上側凹壁２８ｂの内面に圧入し、前記と同様に多数のビス孔２９を貫通してビスを支柱６の凹部２８の底面２８ｃに打ち込むことにより固着する。
【００４６】
上述のように、凹部２８の長さＬがＨ＜Ｌ＜Ｈ＋ｔに形成されているので、上側面板７ｂは、下側面板７ａに預け置いた状態で、傾斜姿勢から姿勢を起こしながら、上側凹壁２８ｂに嵌入させることができ、しかも、嵌入後において、上側面板７ｂの上縁部を上側凹壁２８ｂの間に大きな隙間を生じることはない。従って、後述するように地震時等において支柱６、６が傾いたとき、面板７（下側面板７ａ及び上側面板７ｂ）の上下縁部は、凹部２８の上側凹壁２８ｂと下側凹壁２８ａにより好適に挟持される。
【００４７】
面板７の両側部に貫設されたビス孔２９は、狭小壁５が優れた面材張り耐力壁を構成することができるように、耐力試験により得られた最適データに基づいて設計された所定配列で設けられている。従って、現場で作業者が面板７の釘打ち作業を行う際、作業者は、ビス孔２９にビスを挿入して支柱６に打ち込めば良く、誤作業のおそれがない。
【００４８】
このような面板７のビス孔２９は、図１３に示すように、該ビス孔に挿通されるビス３０の頭部３０ａを埋没させる凹陥部２９ａが面板７の表面にエンボス加工により形成されている。従って、このような凹陥部２９ａのエンボス形成により、ビス孔２９の周囲において圧縮された木質による補強部２９ｂが形成されている。
【００４９】
（狭小壁の作用）
以上のようにして構成された狭小壁５の作用を図１４に示している。上述のように、狭小壁５は、一対の支柱６、６の柱芯間隔ＰをＴ１＋Ｔ２＜Ｐ＜２（Ｔ１＋Ｔ２）の狭小間隔として並設し、全体の幅寸法ＷをＷ＝Ｐ＋１／２（Ｔ１＋Ｔ２）とするように小幅に形成されているので、木造建築物の広い開口部の側縁部に好適に設置することができ、中柱に代えて設置することが可能なだけでなく、隅柱に代えて設置することも可能である。
【００５０】
面板７は、支柱６、６の凹部２８に嵌入状態で固着されており、支柱６と面板７の表面が面一とされるので、狭小壁５を設置した後における建築物の開口部の外装等の施工を簡単容易とする。
【００５１】
地震等の発生により建築物の基礎２及び土台３と梁４が相互に横揺れするとき、狭小壁５は、図１４（Ａ）に示す状態から図１４（Ｂ）に示すように、一対の支柱６、６が平行に傾き移動する。この点に関して、従来の耐力壁は、面板の下縁部を土台に釘打ちすると共に上縁部を梁に釘打ちしているので、面板が対抗することにより支柱の傾きを抑制しようとするが、限界を超えて柱が傾くと、追従して大きく移動する面板の上下縁部が瞬時に破断されて梁及び土台から分離するため、耐力壁の耐力を急激に失い、脆性的に破壊される問題がある。これに対して、本考案の狭小壁５は、面板７の上縁部と下縁部を梁４及び土台３から離間させ、敢えて、上部空間Ｓ１と下部空間部Ｓ２を形成することにより、面板７が柱脚部６ａと柱頭部６ｂの大きな傾き移動に追従しないように構成し、その一方において、面板７と支柱６、６の結合は、傾き移動の少ない支柱６の中間部における下側凹壁２８ａと上側凹壁２８ｂで面板７の下縁部と上縁部を挟むことにより結合を維持させるように構成しているので、脆性的に破壊し難い靱性のある面材張り耐力壁を提供することが可能になる。
【符号の説明】
【００５２】
１  木造建築物
２  基礎
３  土台
３ａ  分割土台
４  梁
５  狭小壁
６  支柱
６ａ  柱脚部
６ｂ  柱頭部
７  面板
７ａ  下側面板
７ｂ  上側面板
８  柱脚金物
９  柱頭金物
１０  アンカーボルト
１１  箱形ベース
１１ａ  設置壁
１１ｂ  支持壁
１２  起立壁
１２ａ  連結孔
１３  遊挿孔
１４  調整円盤
１４ａ  ガイドスリット
１５  固定座金
１６  ナット
１７  切込溝
１８  ピン孔
１９  ドリフトピン
２０  パイプ部
２０ａ  連結孔
２１  垂下壁
２１ａ  連結孔
２２  受孔
２３  ピン孔
２４  切込溝
２５  ピン孔
２６  ドリフトピン
２７  ドリフトピン
２８  凹部
２８ａ  下側凹壁
２８ｂ  上側凹壁
２９  ビス孔
２９ａ  凹陥部
２９ｂ  補強部
３０  ビス
３０ａ  頭部
【図１】
0003215616.tif 000003
【図２】
0003215616.tif 000004
【図３】
0003215616.tif 000005
【図４】
0003215616.tif 000006
【図５】
0003215616.tif 000007
【図６】
0003215616.tif 000008
【図７】
0003215616.tif 000009
【図８】
0003215616.tif 000010
【図９】
0003215616.tif 000011
【図１０】
0003215616.tif 000012
【図１１】
0003215616.tif 000013
【図１２】
0003215616.tif 000014
【図１３】
0003215616.tif 000015
【図１４】
0003215616.tif 000016
【手続補正書】
【提出日】平成30年2月1日(2018.2.1)
【手続補正１】
【補正対象書類名】実用新案登録請求の範囲
【補正対象項目名】全文
【補正方法】変更
【補正の内容】
【実用新案登録請求の範囲】
【請求項１】
木造建築物の開口部の側縁部に沿わせて設置され、並設された一対の角材から成る支柱と、一対の支柱を連結する板材から成る面板を一体化した狭小壁であり、
前記支柱(6,6)は、基礎に固着された柱脚金物(8)により柱脚部(6a)が固定支持されると共に、梁に固着された柱頭金物(9)により柱頭部(6b)が固定支持されており、それぞれ幅寸法Ｔ１、Ｔ２とされた一対の支柱(6)(6)が相互の柱芯間隔ＰをＴ１＋Ｔ２＜Ｐ＜２（Ｔ１＋Ｔ２）の狭小間隔として並設され、
前記面板(7)は、一対の支柱の表面に凹設された凹部(28)に嵌入され、該面板の上縁部と下縁部をそれぞれ凹部の上側凹壁(28b)と下側凹壁(28a)に沿わせた状態で、該面板の両側部を上下方向に所定間隔をあけて複数のビス(30)により凹部の底壁(28c)に固着されており、
前記面板(7) の上縁部と梁(4)の間に上部空間(S1)を形成すると共に、下縁部と土台(3)の間に下部空間(S2)を形成して成ることを特徴とする木造建築物の狭小壁。
【請求項２】
前記面板(7)の両側部には、前記ビス(30)を挿通する多数のビス孔(29)が所定の配列位置に形成されて成ることを特徴とする請求項１に記載の木造建築物の狭小壁。
【請求項３】
前記ビス孔(29)に挿通されるビスの頭部(30a)を埋没させる凹陥部(29a)が面板(7)の表面にエンボス加工により形成されて成ることを特徴とする請求項２に記載の木造建築物の狭小壁。
【請求項４】
前記面板(7)の高さＨと板厚ｔに対して、前記凹部の上側凹壁(28b)と下側凹壁(28a)の間隔距離Ｌは、Ｈ＜Ｌ＜Ｈ＋ｔに形成されて成ることを特徴とする請求項１、２又は３に記載の木造建築物の狭小壁。
【請求項５】
前記面板(7)は、前記支柱の上下中央位置から下側に配置される下側面板(7a)と、上側に配置される上側面板(7b)により構成され、下側面板(7a)の上縁部と上側面板(7b)の下縁部を相互に連接した状態で前記凹部(28)に嵌入され、
上側面板(7b)の上縁部と下側面板(7a)の下縁部をそれぞれ凹部の上側凹壁(28b)と下側凹壁(28a)に沿わせた状態で、該面板(7a,7b)の両側部をビス(30)により凹部の底壁(28c)に固着され、
上側面板(7b)の上縁部と梁(4)の間に上部空間(S1)を形成すると共に、下側面板(7a)の下縁部と土台(3)の間に下部空間(S2)を形成して成ることを特徴とする請求項１、２、３又は４に記載の木造建築物の狭小壁。
【手続補正２】
【補正対象書類名】明細書
【補正対象項目名】００１７
【補正方法】変更
【補正の内容】
【００１７】
前記面板は、１枚の板材により形成しても良いが、支柱の上下中央位置から下側に配置される下側面板と、上側に配置される上側面板により構成することができ、その場合、下側面板の上縁部と上側面板の下縁部を相互に連接した状態で前記凹部に嵌入され、上側面板の上縁部と下側面板の下縁部をそれぞれ凹部の上側凹壁と下側凹壁に沿わせた状態で、該面板の両側部をビスにより凹部の底壁に固着され、上側面板の上縁部と梁の間に上部空間を形成すると共に、下側面板の下縁部と土台の間に下部空間を形成するように構成される。